(57)【特許請求の範囲】
【請求項１】
有底筒状の胴部（２）の上端に、肩部（４）を介して口筒部（８）を起立設して構成された合成樹脂製ボトル（１）であって、前記口筒部（８）の上端に、上方に拡径して立ち上がり、漏斗として機能することのできるテーパー筒部（９）を一体に連設し、前記肩部（４）を、円筒状の肩筒壁（５）と、該肩筒壁（５）の上端に連設された内鍔状の肩頂壁（６）とで構成し、前記肩筒壁（５）の外径をテーパー筒部（９）の開口部の外径よりも大きい値に設定し、前記肩部（４）から上の部分を覆うことのできる、頂板（１３）と周筒（１５）とからなる有頂円筒形状をしたキャップ（１２）を着脱可能に組付け、該キャップ（１２）は、前記周筒（１５）を、下位に位置して肩筒壁（５）に外装する組付き筒部（１７）と、該組付き筒部（１７）の上位に位置してテーパー筒部（９）を格納する格納筒部（１６）を有する構成とし、さらに前記口筒部（８）に密嵌入して密閉するシール筒片（２１）を頂板（１３）に垂下設して構成したものであることを特徴とする詰め替えボトル。
【請求項２】
テーパー筒部（９）の上端開口部に、開口形状を安定化させる補強用の口リブ（１１）を周設した請求項１に記載の詰め替えボトル。
【請求項３】
テーパー筒部（９）の少なくとも口筒部（８）との連設部分を、撓み変形により反転変形可能な程度に肉薄な反転筒壁（１０）とした請求項１または２に記載の詰め替えボトル。
【請求項４】
肩部（４）の肩筒壁（５）から肩頂壁（６）にかけての部分に、指先の侵入が可能な凹陥部（７）を、左右に分けて一対設けた請求項３に記載の詰め替えボトル。
【発明の詳細な説明】
【技術分野】
【０００１】
本発明は、シャンプーやリンス等の詰替え用の内容液を、パウチ容器等の収納容器から詰め替える詰め替えボトルに関するものである。
【背景技術】
【０００２】
シャンプーやリンス等の詰め替え用の内容液を、パウチ容器等の簡易な収納容器から、この内容液を収納消費する詰め替えボトルに移し替えるには、従来の一般的な詰め替えボトルの口部の口径が小さいため、詰め替えし難く、口部外に漏らす、倒れる等して詰め替え時の安定性がない、液ダレする、汚す等の不都合が生じる。この詰め替え用の内容液の収納容器から詰め替えボトルへの移し替え作業における不都合を解消する一手段として、詰め替え用具として漏斗を利用する手段が知られている。
【０００３】
このように、漏斗は、内容液の移し替えに有効に機能してくれるのであるが、内容液の移し替えに使用した漏斗は、詰め替えボトルと分けて収納しておかなければならず、その取扱いおよび管理が面倒である、と云う不満があった。
【０００４】
この不満を解消する従来技術として、特開２００１−３４１７９７号公報である特許文献１に示された技術は、ペットボトル等のボトルと共に使用可能とした漏斗及び計量器の兼用具提供するもので、広口部と狭口部とを備えており、広口部を上向きとして狭口部をペットボトル等のボトル口部に装着した状態で漏斗を構成し、ボトル口部から取外された狭口部にキャップ栓を挿着した状態で計量器を構成するものとなっている。
【０００５】
この特許文献１に示された技術は、漏斗および計量器として機能するカップ体を、ボトルのキャップとして機能させるので、漏斗をボトルに常に付帯させた状態となり、これにより漏斗を詰め替えボトルとは別個に保管管理しなければならないと云う面倒を解消することができる。
【先行技術文献】
【特許文献】
【０００６】
【特許文献１】特開２００１−３４１７９７号公報
【発明の概要】
【発明が解決しようとする課題】
【０００７】
しかしながら、上記した従来技術にあっては、カップ体を漏斗として使用するには、兼用具のボトルからの分離、カップ体からのキャップ栓の分離、カップ体のボトルへの装着と云う諸作業を要すると共に、使用後は、カップ体からの内容液の拭き取り、カップ体の組立て、カップ体のボトルへの装着と云う作業を要することになり、このためカップ体の取扱いが面倒である、と云う問題があった。
【０００８】
また、漏斗として機能するカップ体は、ボトルに対して着脱するものであるので、ボトルとの間に着脱のための構造を設ける必要があると共に、その着脱は密であることが要求されるので、組付いた状態での両者間のシール達成維持に十分な考慮を要する、と云う問題があった。なお、詰め替え用の内容液を収納容器から移し替えし易いように、予め広口形状に成形した詰め替えボトルにおいては、漏斗を移し替え用具として利用する必要がなくなる。しかしながら、口元径が大きくなると口元からの液漏れを防止することが非常に困難で、パッキン等でシールしているが、締め込みおよび変形が安定することがなく、高い気密性を得ることがきわめて困難となる。
【０００９】
そこで、本発明は、上記した従来技術における問題点を解消すべく創案されたもので、漏斗機能部分のボトル本体に対する着脱に考慮を要さなくて済むようにすることを技術的課題とし、詰め替え用の内容液の移し替えのために口筒部の口径を拡大することのない構成で、漏斗機能部分の組付けを含めた取扱いが、きわめて簡便で安全であるようにすることを目的とする。
【課題を解決するための手段】
【００１０】
上記技術的課題を解決するための本発明の主たる構成は、
有底筒状の胴部の上端に、肩部を介して口筒部を起立設して構成された合成樹脂製ボトルであること、
口筒部の上端に、上方に拡径して立ち上がり、漏斗として機能することのできるテーパー筒部を一体に連設したこと、
肩部を、円筒状の肩筒壁と、この肩筒壁の上端に連設された内鍔状の肩頂壁とで構成し、肩筒壁の外径をテーパー筒部の開口部の外径よりも大きい値に設定したこと、
肩部から上の部分を覆うことのできる、頂板と周筒とからなる有頂円筒形状をしたキャップを着脱可能に組付け、このキャップは、周筒を、下位に位置して肩筒壁に外装する組付き筒部と、この組付き筒部の上位に位置してテーパー筒部を格納する格納筒部を有する構成とし、さらに口筒部に密嵌入して密閉するシール筒片を頂板に垂下設して構成したものであること、
にある。
【００１１】
テーパー筒部は、口筒部の上端に、一体に連設されているので、胴部と肩部と口筒部とから構成されるボトル本体部分の成形時に、このボトル本体部分と一緒に一体成形することができる。
【００１２】
また、テーパー筒部は、口筒部の上端に一体成形されているので、口筒部に対する着脱可能な組付け構造を構成する必要がないと共に、口筒部との間のシール性確保を考慮する必要がなく、また口筒部に対する姿勢が常に一定して安定している。
【００１３】
さらに、テーパー筒部は、上方に拡径したテーパー筒形状であるので、パウチ容器等の簡易な収納容器からの詰め替え用の内容液を、無理なく十分に余裕を持って受け入れることができる。そして、肩筒壁を、口筒部そしてテーパー筒部を覆って組付くキャップの着脱部分とすることができ、これによりテーパー筒部のキャップ内への格納を適正に得ることができる。なお、口筒部の口径は、内容液の移し替えのために拡径することなく通常のボトルとほぼ同径であるので、安定して高い気密性を得ることができる。
【００１４】
本発明の別の構成は、上記した主たる構成に、テーパー筒部の上端開口部に、開口形状を安定化させる補強用の口リブを周設した、ことを加えたものである。
【００１５】
テーパー筒部の上端開口部に、補強用の口リブを周設したものにあっては、この口リブがテーパー筒部の上端開口部を機械的に補強することになるので、開口口径が大きいことにより、その開口端部が撓み変形し易いテーパー筒部の上端開口部の撓み変形を抑制し、その形状を安定化させることができる。
【００１８】
また、本発明の別の構成は、上記した主たる構成において、テーパー筒部の少なくとも口筒部との連設部分を、撓み変形により反転変形可能な程度に肉薄な反転筒壁とした、ものである。
【００１９】
テーパー筒部の少なくとも口筒部との連設部分を、肉薄な反転筒壁としたものにあっては、この反転筒壁を反転箇所として、テーパー筒部の上半部分を下降変位させることにより、非使用時のテーパー筒部の高さを十分に小さくすることができる。
【００２０】
また、本発明の別の構成は、上記したテーパー筒部に反転筒壁を設けた構成において、肩部の肩筒壁から肩頂壁にかけての部分に、指先の侵入が可能な凹陥部を、左右に分けて一対設けた、ものである。
【００２１】
肩部の肩筒壁から肩頂壁にかけての部分に凹陥部を設けたものにあっては、反転下降変形したテーパー筒部の開口端部が、肩部の肩頂壁の直上に位置しているが、凹陥部に指先を侵入させることにより、この指先をテーパー筒部の開口端部の直下に簡単に位置させることができる。
【発明の効果】
【００２２】
本発明は、上記した構成となっているので、以下に示す効果を奏する。
本発明の主たる構成にあっては、胴部と肩部と口筒部とから構成されるボトル本体部分の成形時に、このボトル本体部分と一緒に一体成形することができるので、ボトル本体部分との一体成形が無理なく簡単に達成できる。肩筒壁を、肩部、口筒部そしてテーパー筒部を覆って組付くキャップの着脱部分とすることができ、これによりテーパー筒部のキャップ内への格納を適正に得ることができるので、テーパー筒部の無理のない安定した格納状態を得ることができる。
【００２３】
また、テーパー筒部は、口筒部に対する着脱可能な組付け構造を構成する必要がなく、口筒部との間のシール性確保を考慮する必要がなく、口筒部に対する姿勢が常に一定して安定しているので、テーパー筒部に関する構成および使用状況をきわめて簡単にすることができる。なお、口筒部は内容器の移し替えのために、その口径を大きくすることがないので、安定して高い気密性を得ることができる状態が維持される。
【００２４】
テーパー筒部の上端開口部に、補強用の口リブを周設したものにあっては、テーパー筒部の上端開口部の撓み変形を抑制し、その形状を安定化させることができるので、このテーパー筒部を使用した内容液の詰め替え作業を安定的に行うことができる。
【００２６】
テーパー筒部の少なくとも口筒部との連設部分を、肉薄な反転筒壁としたものにあっては、この反転筒壁を反転箇所として、テーパー筒部の上半部分を下降変位させることにより、非使用時のテーパー筒部の高さを十分に小さくすることができ、これによりボトル全体の高さ寸法を小さくして、格納効率を高めることができる。
【００２７】
肩部の肩筒壁から肩頂壁にかけての部分に凹陥部を設けたものにあっては、指先を、反転下降変位したテーパー筒部の開口端部の直下に簡単に位置させることができるので、凹陥部に侵入させた指先を、反転下降変位したテーパー筒部の開口端部に、下方から簡単に引っ掛けることができ、これにより反転下降変位したテーパー筒部の原形復帰を簡単に得ることができる。
【図面の簡単な説明】
【００２８】
【図１】本発明の一実施形態例を示す、平面図および縦断面図である。
【図２】図１に示した実施形態例の、キャップ装着時の縦断面図である。
【図３】本発明の他の実施形態例を示す、平面図および縦断面図である。
【図４】図３に示した実施形態例の、キャップ装着時の縦断面図である。
【発明を実施するための形態】
【００２９】
以下、本発明の実施形態例を、図面を参照しながら説明する。
本発明による詰め替えボトル１（図１および図３参照）は、有底円筒状の胴部２の上端に、内鍔状の段部３を介して肩部４を起立状に連設し、この肩部４の縮径した上端に、短円筒状の口筒部８を起立設し、この口筒部８の上端から、上方に球弧状に拡径して立ち上がったテーパー筒部９を起立設して構成され、全体をブロー成形や回転成形等の成形技術により、ポリエチレン樹脂やポリプロピレン樹脂等の合成樹脂にて一体に成形されている。
【００３０】
上方に球弧状に拡径して立ち上がってお椀状に構成されて、漏斗として機能するテーパー筒部９（図１および図３参照）は、その上端開口部に、この開口部形状を妄りに撓み変形させないように、開口部を補強する口リブ１１を全周に亘って設けている。それゆえ、この口リブ１１により、テーパー筒部９の上端開口部は安定して開口姿勢を維持することができ、漏斗として安定的に機能することができる。
【００３１】
この口リブ１１はその構造が特定されるものではないが、単純な外鍔状の第１実施形態例（図１参照）に比べて、円弧溝状に構成した第２実施形態例（図３参照）の場合は、断面が半円弧の周溝状に構成されているので、径方向だけでなく上下方向に対しても強い補強作用を確実に発揮することができる。また、この第２実施形態例の場合、口リブ１１は、半円弧の周溝状に構成されているので、テーパー筒部９の内面に付着した内容液の残液を、外部に流出させることなく、流出しようとする残液を堰止めして滞留させることができるので、残液を外部に漏らして汚れや不衛生感を生じさせることがない、と云う効果を発揮する。
【００３２】
肩部４は、円筒状の肩筒壁５の上端に、内鍔状のリング板状をし、内周端縁から口筒部８を起立連設させた肩頂壁６を連設した有頂円筒状に構成されており、肩筒壁５の外径を、テーパー筒部９の上端開口部の外径よりも大きい値に設定している。この肩部４の肩筒壁５は、その外周面に螺条等のキャップ組付け機能部を形成することにより、テーパー筒部９を含めた肩部４から上のボトル１部分を覆って組付くキャップ１２の、着脱組付き部分を構成する。
【００３３】
図３に示した第２実施形態例の場合、テーパー筒部９の少なくとも口筒部８との連設部分を、撓み変形により反転変形可能な程度に肉薄に成形された反転筒壁１０としている。この反転筒壁１０を設けることにより、テーパー筒部９を漏斗として機能させない非使用状態時に、この反転筒壁１０を反転撓み変形させて、テーパー筒部９の略全体を下降変位させ（図３（ｂ）参照）て、テーパー筒部９を折り畳み状態とし、これによりボトル１全体の高さ寸法を減少させて、ボトル１の高い格納効率を得ることが可能となる。
【００３４】
また、この第２実施形態例の場合、肩部４の肩筒壁５から肩頂壁６にかけての部分に、指先の侵入が可能な凹陥部７を、左右に分けて一対設けて（図３（ｂ）参照）いる。この凹陥部７を設けることにより、テーパー筒部９に反転筒壁１０を設けた場合、テーパー筒部９を反転下降変位させた状態で、テーパー筒部９の開口端縁が肩部４の肩頂壁６の直上に位置することになっても、反転変形したテーパー筒部９の開口端縁の下側に指先を簡単に位置させることができ、これによりに指先をテーパー筒部９の開口端縁に下側から引っ掛けて簡単に引上げることができるので、反転下降変位したテーパー筒部９を、漏斗として機能することのできる状態に、簡単に反転復帰させることができる。
【００３５】
この第２実施形態例にあっては、反転筒壁１０を撓み変形可能としているので、この反転筒壁１０の撓み変形が、テーパー筒部９の開口端部を妄りに不正変形させないようにするのが望ましい。それゆえ、反転筒壁１０を撓み変形により、テーパー筒部９の開口端部が妄りに不正変形しないように、テーパー筒部９の開口端部には、強い補強力を発揮することのできる、断面が半円弧の周溝状に構成された口リブ１１を設ける（図３（ｂ）参照）のがよい。この場合、前記した断面が半円弧の周溝状に構成された口リブ１１の残液に対する堰止め効果は、口リブ１１がテーパー筒部９本体部分との間に深い周溝を形成する（図３、図４参照）ことから、より顕著にその効果を発揮することになる。
【００３６】
ボトル１に組付けられるキャップ１２は、肩部４から上の部分を覆うことのできる、頂板１３と周筒１５とからなる有頂円筒形状をしており、周筒１５は、下位に位置して肩筒壁５に外装螺合する組付き筒部１７と、この組付き筒部１７の上位に位置して、ボトル１のテーパー筒部９を格納する格納筒部１６とから構成されている。ボトル１にキャップ１２を組付けた状態では、ボトル１の胴部２と肩部４との間に位置する段部３により、キャップ１２の組付き筒部１７が、胴部２よりも外側に位置することがないようにしている。
【００３７】
このキャップ１２内には、キャップ１２の頂板１３の下面に、リング平板状の主体板１９を面接触させ、この主体板１９の下面に、ボトル１の口筒部８に密嵌入して、この口筒部８を密閉するシール筒片２１を垂下設して構成した、軟質弾性材製の中栓１８（図２および図４参照）が組付けられている。この中栓１８の主体板１９の下面周端縁部には、周端突条２２が垂下状に周設されている。この中栓１８のシール筒片２１は、口筒部８の口径が内容液の移し替えのために拡径されていないので、安定して高いシール性を発揮することができる。
【００３８】
この中栓１８における周端突条２２は、第１実施形態例に対して、口筒部８の上端から立ち上がっているテーパー筒部９の上端を嵌入接触させることにより、テーパー筒部９の上端開口部を外側から支える（図２参照）ことになり、テーパー筒部９を安定した姿勢で保持する。
【００３９】
第２実施形態例の場合、テーパー筒部９は、反転下降変形することにより、その形状が折り畳まれてコンパクトに安定した状態となるので、中栓１８の周端突条２２による支えは不要（図４参照）となる。なお、この第２実施形態例の場合、テーパー筒部９を反転変形させることにより、その高さ寸法を小さくすることができるので、これを格納するキャップ１２の格納筒部１６もその高さ寸法を小さくする（図４参照）ことができ、これにより吐出ポンプ２３を組付けた詰め替え容器全体の高さ寸法を小さくして、コンパクト化を図ることができる。
【００４０】
図示実施例の場合、キャップ１２には吐出ポンプ２３（図２および図４参照）が組付けられている。この吐出ポンプ２３は、一般的な押下げポンプであり、シリンダー部２６から立ち上がったステム２５の上端に、側方にノズル筒を延出させたノズルヘッド２４が組付けられていると共に、シリンダー部２６から、ボトル１の底部まで伸びる吸い上げ筒２９が設けられており、キャップ１２の頂板１３の中央に開設された開孔１４に挿入された状態で、取付け筒体２７と取付けフランジ２８により締め付け固定されている。
【００４１】
すなわち、頂板１３の開孔１４にシリンダー部２６を挿入させた状態で、シリンダー部２６に取付け筒体２７を組付けることにより、シリンダー部２６に一体設された取付けフランジ２８と取付け筒体２７との間で頂板１３を強力に挟み付けて、キャップ１２に組付く。
【００４２】
なお、中栓１８には、主体板１９の下面開口縁にシール筒片２１が垂下設されており、このシール筒片２１が、キャップ１２に組付いた吐出ポンプ２３の取付けフランジ２８直下のシリンダー部２６に密に外嵌し、これにより中栓１８と吐出ポンプ２３との間の密な組付きを達成維持している。
【００４３】
吐出ポンプ２３を組付ける場合は、この吐出ポンプ２３が内容液の吐出口を形成すると共に、口筒部８の開閉を行なうことになる。
【００４４】
次に、詰め替え用の内容液の詰め替えボトルに対する移し替え動作を、順に説明する。
【００４５】
内容液の補充が必要となったボトル１のキャップ１２を取り外して、ボトル１を開放状態とする。この際、第２実施形態例の場合は、テーパー筒部９が下降変位しているので、凹陥部７に差し入れた指先でテーパー筒部９を起立姿勢に引上げる。
【００４６】
次いで、パウチ容器等の収納容器から詰め替え用内容液をボトル１に移し替えるが、この際、上端開孔口径の大きいテーパー筒部９を漏斗として機能させるので、内容液の移し替えは容易なものとなる。また、テーパー筒部９は口筒部８の上端に一体設されているので、テーパー筒部９の口筒部８に対する組付き状態とか、テーパー筒部９と口筒部８の間のシール状態を懸念する必要は全くなく、きわめて簡便な移し替え操作を得ることができる。
【００４７】
内容液のボトル１への移し替えが終了したならば、ボトル１にキャップ１２を装着して、内容液の吐出可能状態とする。この際、場合によっては、漏斗として機能したテーパー筒部９に付着した内容液の残液を拭き取ってもよいのであるが、第１実施形態例の場合は、テーパー筒部９が常に起立姿勢にあり、第２実施形態例の場合は、口リブ１１が堰として機能するので、残液を外部に漏らすことがなく、残液を拭き取らなくても、この残液の漏出が生じることは殆どない。また、第２実施形態例にあっては、キャップ１２の装着に先立って、テーパー筒部９を押下げて反転下降変位姿勢にしておく。
【００４８】
なお、ボトル１の成形技術は、ブロー成形および回転成形に特定されることはなく、テーパー筒部９をボトル１本体と一体に成形することのできる成形技術であれば、その適用は可能である。また、キャップ１２は、吐出ポンプ２３を組付けた構成のものに限定されることはなく、例えば、ヒンジキャップ体等の開閉蓋で開閉される吐出口筒を有する、一般的な吐出キャップであってもよい。
【産業上の利用可能性】
【００４９】
以上説明したように、本発明の詰め替えボトルは、漏斗として機能することのできる部分を一体に設けることにより、漏斗機能部分に対する取扱いの面倒の全てを解消するものであり、漏斗機能を利用する詰め替えボトルに関して幅広い利用展開が期待される。
【符号の説明】
【００５０】
１  ；ボトル
２  ；胴部
３  ；段部
４  ；肩部
５  ；肩筒壁
６  ；肩頂壁
７  ；凹陥部
８  ；口筒部
９  ；テーパー筒部
１０；反転筒壁
１１；口リブ
１２；キャップ
１３；頂板
１４；開孔
１５；周筒
１６；格納筒部
１７；組付き筒部
１８；中栓
１９；主体板
２０；密嵌筒片
２１；シール筒片
２２；周端突条
２３；吐出ポンプ
２４；ノズルヘッド
２５；ステム
２６；シリンダー部
２７；取付け筒体
２８；取付けフランジ
２９；吸い上げ筒
【図１】
0005769060.tif 000002
【図２】
0005769060.tif 000003
【図３】
0005769060.tif 000004
【図４】
0005769060.tif 000005